(57)【要約】【課題】自動車用のカップホルダー装置に関し、飲料容器を上方から受け入れる支持部の内壁部を、ＥＬ（エレクトロ・ルミネッセンス）ランプを使用して発光させるようにしたものである。【解決手段】カップホルダー装置１０には、飲料容器を上方から受け入れる支持部３１を有するホルダー本体３０、帯状であり、かつ可撓性を有し、一面に発光面を有するＥＬランプ５０を備える。支持部３１の内壁部の全部又は一部には、ＥＬランプ５０の発光面５１と表裏する他面（例えば非発光面５２）に臨む底部３３を有し、ＥＬランプ５０を収納する凹部３２、凹部３２に収納されたＥＬランプ５０の発光面５１に臨むとともに、凹部３２を塞ぐ透明のカバー６０を備える。【選択図】    図１
2005014655.tif 000002
【特許請求の範囲】
【請求項１】
車室内に配置されるカップホルダー装置であって、
飲料容器を上方から受け入れる支持部を有するホルダー本体と、
帯状であり、かつ可撓性を有し、一面に発光面を有するＥＬランプとを備え、
前記支持部の内壁部の全部又は一部には、
前記ＥＬランプの前記発光面と表裏する他面に臨む底部を有し、前記ＥＬランプを収納する凹部と、
前記凹部に収納された前記ＥＬランプの前記発光面に臨むとともに、前記凹部を塞ぐ透明のカバーとを備えることを特徴とする自動車用のカップホルダー装置。
【請求項２】
請求項１に記載のカップホルダー装置であって、
前記支持部の前記凹部と前記カバーとの間には、
前記カバーを前記凹部に固定するための固定手段を設けていることを特徴とする自動車用のカップホルダー装置。
【請求項３】
請求項１又は請求項２に記載のカップホルダー装置であって、
前記支持部の前記凹部には、
前記ＥＬランプの帯の長さ方向に沿う一方の縁部に臨むガイド部を有し、
前記カバーには、
前記ガイド部と対向するとともに、前記ＥＬランプの帯の長さ方向に沿う他方の縁部に臨む顎部を有することを特徴とする自動車用のカップホルダー装置。
【請求項４】
車室内に配置されるカップホルダー装置であって、
飲料容器を上方から受け入れる支持部を有するホルダー本体と、
帯状であり、かつ可撓性を有し、一面を接着面としたＥＬランプとを備え、
前記ＥＬランプの前記接着面を、前記支持部の内壁部の全部又は一部に接着させるようにしたことを特徴とする自動車用のカップホルダー装置。
【発明の詳細な説明】
【０００１】
【発明の属する技術分野】
この発明は、自動車用のカップホルダー装置に関し、飲料容器を上方から受け入れる支持部の内壁部を、ＥＬ（エレクトロ・ルミネッセンス）ランプを使用して発光させるようにしたものである。
【０００２】
【従来の技術】
従来、カップホルダー装置では、飲料容器を上方から受け入れる支持部の内壁部に、光透過性材料を装着し、当該光透過性材料をＬＥＤランプにより照明することで、光透過性材料を発光させるようにしたものが知られている（例えば、特許文献１及び特許文献２参照。）。
【０００３】
【特許文献１】
特開２００２−１２０６３０号公報（段落番号００１２、図１）
【０００４】
【特許文献２】
特開２００２−３０７９９４号公報（段落番号００１７、図１）
【０００５】
【発明が解決しようとする課題】
しかし、上記した従来のカップホルダー装置では、ＬＥＤランプから照射された光を光透過性材料に伝達させていたので、伝達ロスやムラが発生し易く、支持部の内壁部を効率良く、且つ均一に発光させることが困難であるという問題点があった。
【０００６】
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、飲料容器を上方から受け入れる支持部の内壁部を、ＥＬ（エレクトロ・ルミネッセンス、以下「ＥＬ」という。）ランプを使用して効率良く、且つ均一に発光させることができるようにしたものである。
（請求項２）
請求項２に記載の発明は、上記した請求項１に記載の発明の目的に加え、次の点を目的とする。
【０００７】
すなわち、請求項２に記載の発明は、固定手段を用いて、カバーを簡便に取り付けることができるようにしたものである。
（請求項３）
請求項３に記載の発明は、上記した請求項１又は請求項２に記載の発明の目的に加え、次の点を目的とする。
【０００８】
すなわち、請求項３に記載の発明は、凹部のガイド部や、カバーの顎部を利用して、ＥＬランプを凹部内に簡便に、且つ堅固に取り付けることができるようにしたものである。
（請求項４）
請求項４に記載の発明は、次の点を目的とする。
【０００９】
すなわち、請求項４に記載の発明は、請求項１に記載の発明と同様に、飲料容器を上方から受け入れる支持部の内壁部を、ＥＬランプを使用して効率良く、且つ均一に発光させることができるようにしたものである。
また、請求項４に記載の発明は、請求項１に記載のカバーが無くとも良いので、請求項１に記載の発明に比較して、カップホルダー装置の構造を一層、簡便なものとすることができる。
【００１０】
【課題を解決するための手段】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
【００１１】
また、図面番号も、発明の実施の形態において用いた図番を示し、本発明の技術的範囲を限定するものではない。
（請求項１）
請求項１に記載の発明は、次の点を特徴とする。
第一は、例えば図１に示すように、車室内に配置されるカップホルダー装置（１０）である。
【００１２】
第二に、カップホルダー装置（１０）には、例えば図１〜２に示すように、次の構成を備える。
（１）ホルダー本体（３０）
ホルダー本体（３０）は、例えば図１〜２に示すように、飲料容器（図示せず）を上方から受け入れる支持部（３１）を有するものである。
【００１３】
（２）ＥＬ（エレクトロ・ルミネッセンス、以下「ＥＬ」という。）ランプ（５０）
ＥＬランプ（５０）は、例えば図１〜２に示すように、帯状であり、かつ可撓性を有し、一面に発光面を有するものである。
第三に、支持部（３１）の内壁部の全部又は一部には、例えば図２〜４に示すように、次の構成を備える。
【００１４】
（３）凹部（３２）
凹部（３２）は、例えば図２〜４に示すように、ＥＬランプ（５０）の発光面（５１）と表裏する他面（例えば非発光面５２）に臨む底部（３３）を有し、ＥＬランプ（５０）を収納するものである。
（４）カバー（６０）
カバー（６０）は、例えば図２〜４に示すように、凹部（３２）に収納されたＥＬランプ（５０）の発光面（５１）に臨むとともに、凹部（３２）を塞ぐ透明のものである。
（請求項２）
請求項２に記載の発明は、上記した請求項１に記載の発明の特徴点に加え、次の点を特徴とする。
【００１５】
すなわち、支持部（３１）の凹部（３２）とカバー（６０）との間には、図示しないが、固定手段を設けている。
固定手段は、カバー（６０）を凹部（３２）に固定するためのものである。
（請求項３）
請求項３に記載の発明は、上記した請求項１又は請求項２に記載の発明の特徴点に加え、次の点を特徴とする。
【００１６】
第一に、支持部（３１）の凹部（３２）には、例えば図３〜４に示すように、次の構成を有する。
（１）ガイド部（３４）
ガイド部（３４）は、例えば図３〜４に示すように、ＥＬランプ（５０）の帯の長さ方向に沿う一方の縁部に臨むものである。
【００１７】
第二に、カバー（６０）には、例えば図２〜４に示すように、次の構成を有する。
（２）顎部（６２）
顎部（６２）は、例えば図２〜４に示すように、ガイド部（３４）と対向するとともに、ＥＬランプ（５０）の帯の長さ方向に沿う他方の縁部に臨むものである。
（請求項４）
請求項４に記載の発明は、次の点を特徴とする。
【００１８】
第一は、車室内に配置されるカップホルダー装置（１０）である、
第二に、カップホルダー装置（１０）には、例えば図１〜２に示すように、次の構成を備える。
（１）ホルダー本体（３０）
ホルダー本体（３０）は、例えば図１〜２に示すように、飲料容器を上方から受け入れる支持部（３１）を有するものである。
【００１９】
（２）ＥＬランプ（５０）
ＥＬランプ（５０）は、図示しないが、帯状であり、かつ可撓性を有し、一面を接着面としたものである。
第三に、図示しないが、ＥＬランプ（５０）の接着面を、支持部（３１）の内壁部の全部又は一部に接着させるようにした。
【００２０】
【発明の実施の形態】
（図面の説明）
図１〜４は、本発明の第１の実施の形態の一例をそれぞれ示すものである。
図１は、カップホルダー装置の斜視図、図２は図１のホルダー本体の一部分解斜視図、図３は図１のＩＩＩ−ＩＩＩ線に沿う断面図、図４は図３の分解断面図をそれぞれ示すものである。
【００２１】
図５〜７は、本発明の第２の実施の形態の一例をそれぞれ示すものである。
図５は、カップホルダー装置の斜視図、図６は図５の断面図、図７は図６の分解断面図をそれぞれ示すものである。
図８〜９は、本発明の第３の実施の形態の一例をそれぞれ示すものである。
図８は、カップホルダー装置の斜視図、図９は図８のホルダー本体の分解斜視図をそれぞれ示すものである。
（カップホルダー装置１０）
図１中、１０は、自動車用のカップホルダー装置を示すものである。
【００２２】
上記カップホルダー装置１０は、図１に示すように、大別すると、次のパーツを備える。
（１）ベース２０
（２）ホルダー本体３０
なお、カップホルダー装置１０のパーツは、上記した（１）〜（２）に限定されず、図示しないが、例えばベース２０を介さずに、ホルダー本体３０を車室内に直接取り付けても良い。
（ベース２０）
ベース２０は、図１に示すように、少なくとも前面が開口した上下に扁平な中空箱形を成し、図示しないが、車室内に埋設状に固定される。
【００２３】
なお、ベース２０の形状や構造は、上下に扁平な中空箱形に限定されない。
（ホルダー本体３０）
ホルダー本体３０は、図１に示すように、ベース２０にスライド可能に支持され、ベース２０の前面開口から出入りする。
ホルダー本体３０は、図１に示すように、ベース２０より一回り小さく、少なくとも下面が開放した上下に扁平な中空箱形を成す。
【００２４】
ホルダー本体３０の形状や構造も、ベース２０と同様に、上下に扁平な中空箱形に限定されない。
ホルダー本体３０には、図１〜２に示すように、次の各部を備える。
（１）支持部３１
（２）凹部３２
なお、ホルダー本体３０の各部は、上記した（１）〜（２）に限定されない。
【００２５】
また、ホルダー本体３０には、図１〜２に示すように、次のパーツを備える。
（３）飲料容器受け部材４０
（４）ＥＬ（エレクトロ・ルミネッセンス、以下「ＥＬ」という。）ランプ５０
（５）カバー６０
（６）電気部品７０
なお、ホルダー本体３０のパーツは、上記した（３）〜（６）に限定されず、図示しないが、例えばカバー６０を省略し、ＥＬランプ５０を直接、ホルダー本体３０に接着する等して取り付けても良い。
（支持部３１）
支持部３１は、図１〜２示すように、飲料容器（図示せず）を上方から受け入れるものであり、例えば上下に貫通する円形の穴から構成されている。
【００２６】
なお、支持部３１の形状は、円形の穴に限定されず、多角形やＣ字型でも良い。
また、飲料容器は、カップに限定されず、缶類、ペットボトル類でも良い。
（凹部３２）
凹部３２は、図２〜４に示すように、支持部３１の環状の内壁部の全部又は一部に形成され、ＥＬランプ５０を収納するものである。
【００２７】
具体的には、凹部３２は、図３〜４に示すように、円形の穴である支持部３１の中心から半径方向外向きに凹んでいる。
凹部３２には、図３〜４に示すように、次の各部を備える。
なお、凹部３２の各部は、次の（１）〜（２）に限定されない。
（１）底部３３
底部３３は、図３〜４に示すように、後述するが、ＥＬランプ５０の発光面５１と表裏する非発光面５２に臨むものであり、環状に湾曲している。
【００２８】
（２）ガイド部３４
ガイド部３４は、図３〜４に示すように、後述するが、ＥＬランプ５０の帯の長さ方向に沿う一方の縁部、例えば上側の縁部に臨むものであり、支持部３１の環状の内壁部の上端部からから断面Ｌ字型に屈曲している。
（飲料容器受け部材４０）
飲料容器受け部材４０は、図示しないが、ホルダー本体３０に回転可能に取り付けられ、ホルダー本体３０をベース２０から引き出した際に、下方に回転して、円形の穴である支持部３１の下側に位置し、支持部３１に上方から挿入された飲料容器（図示せず）の底を受け止めるものである。
（ＥＬランプ５０）
ＥＬランプ５０は、電流を流すことで発光する材料であるエレクトロ・ルミネッセンスを利用したランプである。
【００２９】
ＥＬランプ５０は、図２に示すように、帯状であり、かつ可撓性を有する。そして、ＥＬランプ５０の一面には、発光面５１を有し、この発光面と表裏する他面が非発光面５２となっている。
なお、ＥＬランプ５０の非発光面５２に、図示しないが、接着面を設け、この接着面を介してホルダー本体３０の凹部３２に接着しても良く、このように接着することで、カバー６０を省略することも可能である。
（カバー６０）
カバー６０は、透明で、図２〜４に示すように、ホルダー本体３０の凹部３２に収納されたＥＬランプ５０の発光面５１に臨むとともに、凹部３２を塞ぐものである。
【００３０】
なお、透明は、半透明を含むものであり、点灯したＥＬランプ５０の光により、カバー６０を通して円形の穴である支持部３１を照明できれば良い。
カバー６０は、図示しないが、ホルダー本体３０との間に設けた固定手段により、凹部３２に固定される。
上記固定手段としては、カバー６０とホルダー本体３０とを接着剤を使用して接着したり、熱で溶着したり、或いは凹凸部や爪部等を設け、樹脂等の弾性を利用してワンタッチで固定できるようにしても良い。
【００３１】
具体的には、カバー６０は、図２〜４に示すように、次の各部を備える。
なお、カバー６０の各部は、次の（１）〜（２）に限定されない。
（１）環状部６１
環状部６１は、図２〜４に示すように、円筒形を成し、ホルダー本体３０の凹部３２に収納されたＥＬランプ５０の発光面５１に臨むものである。
【００３２】
（２）顎部６２
顎部６２は、図２〜４に示すように、凹部３２のガイド部３４と上下方向に対向するとともに、ＥＬランプ５０の帯の長さ方向に沿う他方の縁部、例えば下側の縁部に臨むものであり、環状部６１の下側から鍔状に張り出している。
そして、顎部６２は、ホルダー本体３０の上壁から下方に離れて対向し、上壁との間には、図示しないが、後述する電気部品７０を収納可能な空間が形成されている。
（電気部品７０）
電気部品７０は、ＥＬランプ５０の端子に接続され、ＥＬランプ５０に電流を流すためのものである。
【００３３】
具体的には、電気部品７０は、図２に示すように、次のパーツから構成されている。
なお、電気部品７０のパーツは、次の（１）〜（２）に限定されない。
（１）基板７１
基板７２は、ＥＬランプ５０の端子に接続され、ＥＬランプ５０に電流を流すためのものである。
【００３４】
（２）コネクター７２
コネクター７２は、基板７１にハーネスを介して接続され、図示しないが、最終的には自動車のバッテリーに接続されるものである。
ＥＬランプ５０は、常時は消灯し、図示しないが、自動車のスモール・ライトやヘッド・ライト等を点灯させた場合に、これに連動させて点灯させている。
【００３５】
なお、ＥＬランプ５０を、自動車のスモール・ライトやヘッド・ライト等の点灯に連動させて点灯したが、これに限らず、ホルダー本体３０の出し入れに連動させても良い。例えば、ベース２０とホルダー本体３０との間に、マイクロスイッチ等を配置し、ホルダー本体３０をベース２０内に収納した状態で、ＥＬランプ５０を消灯させ、ホルダー本体３０をベース２０内から引き出した使用位置において、ＥＬランプ５０を点灯させるようにしても良い。
（使用方法）
上記した構成を備えるカップホルダー装置１０の使用方法について、以下に簡単に説明する。
【００３６】
図１に示すように、ホルダー本体３０をベース２０内から引き出した使用位置において、自動車のスモール・ライトやヘッド・ライト等を点灯させると、消灯状態のＥＬランプ５０が点灯する。
点灯したＥＬランプ５０の光は、透明なカバー６０を通して、円形の穴である支持部３１を照明する。
【００３７】
このため、照明された支持部３１を目印に、飲料容器（図示せず）を上方より差し込めば良い。
一方、使用後、ホルダー本体３０をベース２０内に押し込むと、図示しないが、飲料容器受け部材４０がベース２０の開放前面の下縁部に押されて、上方に回転して折り畳まれ、ホルダー本体３０がベース２０内に収納される。
【００３８】
なお、自動車のスモール・ライトやヘッド・ライト等が点灯状態のときには、ＥＬランプ５０も点灯状態を維持するが、ホルダー本体３０がベース２０内に収納されることから、車室内にＥＬランプ５０の光が漏れるのを防止できる。
（第２の実施の形態）
つぎに、図５〜７を用いて、本発明の第２の実施の形態の一例について、以下に説明する。
【００３９】
本実施例の第一の特徴は、図５に示すように、ベース１００内に、ホルダー本体１１０が固定されている点である。
上記ベース１００は、図５〜７に示すように、上面が開口した箱形を成し、図示しないが、車室内に埋設状に固定される。
本実施例の第二の特徴は、図５に示すように、ベース１００の上面開口を、開閉扉１２０により開閉できるようにした点である。
【００４０】
上記ベース１００は、図５〜７に示すように、上面が開口した箱形を成し、図示しないが、車室内に埋設状に固定される。
本実施例の第三の特徴は、図５に示すように、ホルダー本体１１０に複数個、例えば２個の支持部１１１を備えている点である。
上記２個の支持部１１１には、図５に示すように、ＥＬランプ５０がそれぞれ取り付けられている。
【００４１】
本実施例の第四の特徴は、図６〜７に示すように、ホルダー本体１１０を、中筒１３０と、蓋体１４０とから構成した点である。
上記中筒１３０には、図６〜７に示すように、凹部１３１を備える。
上記凹部１３１には、図６〜７に示すように、底部１３２と、ガイド部１３３とを備える。
【００４２】
ガイド部１３３は、先に図１〜４を用いて説明した第１の実施の形態のガイド部３４（図３〜４）とは、上下が逆の位置に配置されている。すなわち、ガイド部１３３は、図６〜７に示すように、ＥＬランプ５０の帯の長さ方向に沿う一方の縁部、例えば下側の縁部に臨むものであり、支持部１１１の環状の内壁部の高さの途中から断面Ｌ字型に屈曲している
これに対し、カバー１５０には、図６〜７に示すように、環状部１５１と、２個の鍔部１５２とを備える。鍔部１５２は、先に図１〜４を用いて説明した第１の実施の形態の顎部６２（図３〜４）とは、上下が逆の位置に配置されている。すなわち、鍔部１５２は、図６〜７に示すように、凹部１３１のガイド部１３３と上下方向に対向するとともに、ＥＬランプ５０の帯の長さ方向に沿う他方の縁部、例えば上側の縁部に臨むものであり、環状部１５１の上側から鍔状に張り出している。
【００４３】
なお、本実施例の説明において、先に図１〜４を用いて説明した第１の実施の形態と同一の構成部分について同一符号を付し、説明を省略する。
上記した構成を備えるカップホルダー装置１０の使用方法について、以下に簡単に説明する。
自動車のスモール・ライトやヘッド・ライト等を点灯させると、消灯状態のＥＬランプ５０が点灯する。
【００４４】
点灯したＥＬランプ５０の光は、透明なカバー１５０を通して、円形の穴である支持部１１１を照明する。
一方、開閉扉１２０を閉じることで、図示しないが、ベース１００の上面開口を閉じることができる。
なお、自動車のスモール・ライトやヘッド・ライト等が点灯状態のときには、ＥＬランプ５０も点灯状態を維持するが、開閉扉１２０を閉じることで、車室内にＥＬランプ５０の光が漏れるのを防止できる。
【００４５】
なお、開閉扉１２０の開閉に連動させて、ＥＬランプ５０を点灯・消灯するようにしても良い。例えば、ベース１００と開閉扉１２０との間に、マイクロスイッチ等を配置し、開閉扉１２０を閉じた状態で、ＥＬランプ５０を消灯させ、開閉扉１２０を開いた際に、ＥＬランプ５０を点灯させるようにしても良い。
（第３の実施の形態）
つぎに、図８〜９を用いて、本発明の第３の実施の形態の一例について、以下に説明する。
【００４６】
本実施例の第一の特徴は、図８に示すように、ベース２００の開放上面に、ホルダー本体２１０が固定されている点である。
上記ベース２００は、図８に示すように、上面が開放した箱形を成し、図示しないが、車室内に埋設状に固定される。
本実施例の第二の特徴は、図８〜９に示すように、ホルダー本体２１０に複数個、例えば２個の支持部２１１を備えている点である。
【００４７】
上記２個の支持部１１１には、図８に示すように、ＥＬランプ５０がそれぞれ取り付けられている。
そして、各支持部２１１は、図８〜９に示すように、略Ｃ字型に形成されている。
各支持部２１１には、図９に示すように、凹部２１２をそれぞれ有する。
【００４８】
一方、カバー２２０は、図９に示すように、ホルダー本体２１０とほぼ同じ平面形状を成す。そして、カバー２２０には、環状部２２１と、２個の鍔部２２２とを備える。
なお、本実施例の説明において、先に図１〜４を用いて説明した第１の実施の形態と同一の構成部分について同一符号を付し、説明を省略する。
上記した構成を備えるカップホルダー装置１０の使用方法について、以下に簡単に説明する。
【００４９】
自動車のスモール・ライトやヘッド・ライト等を点灯させると、消灯状態のＥＬランプ５０が点灯する。
点灯したＥＬランプ５０の光は、透明なカバー２２０を通して、円形の穴である支持部２１１を照明する。
【００５０】
【発明の効果】
本発明は、以上のように構成されているので、以下に記載されるような効果を奏する。
（請求項１）
請求項１に記載の発明によれば、次のような効果を奏する。
【００５１】
すなわち、請求項１に記載の発明によれば、飲料容器を上方から受け入れる支持部の内壁部を、ＥＬ（エレクトロ・ルミネッセンス、以下「ＥＬ」という。）ランプを使用して効率良く、且つ均一に発光させることができる。
（請求項２）
請求項２に記載の発明によれば、上記した請求項１に記載の発明の効果に加え、次のような効果を奏する。
【００５２】
すなわち、請求項２に記載の発明によれば、固定手段を用いて、カバーを簡便に取り付けることができる。
（請求項３）
請求項３に記載の発明によれば、上記した請求項１又は請求項２に記載の発明の効果に加え、次のような効果を奏する。
【００５３】
すなわち、請求項３に記載の発明によれば、凹部のガイド部や、カバーの顎部を利用して、ＥＬランプを凹部内に簡便に、且つ堅固に取り付けることができる。
（請求項４）
請求項４に記載の発明によれば、次のような効果を奏する。
【００５４】
すなわち、請求項４に記載の発明によれば、請求項１に記載の発明と同様に、飲料容器を上方から受け入れる支持部の内壁部を、ＥＬランプを使用して効率良く、且つ均一に発光させることができる。
また、請求項４に記載の発明によれば、請求項１に記載のカバーが無くとも良いので、請求項１に記載の発明に比較して、カップホルダー装置の構造を一層、簡便なものとすることができる。
【図面の簡単な説明】
【図１】本発明の第１の実施の形態の一例示し、同図はカップホルダー装置の斜視図である。
【図２】図１のホルダー本体の一部分解斜視図である。
【図３】図１のＩＩＩ−ＩＩＩ線に沿う断面図である。
【図４】図３の分解断面図である。
【図５】本発明の第２の実施の形態の一例を示し、同図はカップホルダー装置の斜視図である。
【図６】図５の断面図である。
【図７】図６の分解断面図である。
【図８】本発明の第３の実施の形態の一例を示し、同図はカップホルダー装置の斜視図である。
【図９】図８のホルダー本体の分解斜視図である。
【符号の説明】
（第１の実施の形態）
１０  カップホルダー装置      ２０  ベース
３０  ホルダー本体            ３１  支持部
３２  凹部                    ３３  底部
３４  ガイド部                ４０  飲料容器受け部材
５０  ＥＬランプ              ５１  発光面
５２  非発光面                ６０  カバー
６１  環状部                  ６２  顎部
７０  電気部品                ７１  基板
７２  コネクター
（第２の実施の形態）
１００  ベース                  １１０  ホルダー本体
１１１  支持部                  １２０  開閉扉
１３０  中筒                    １３１  凹部
１３２  底部                    １３３  ガイド部
１４０  蓋体                    １５０  カバー
１５１  環状部                  １５２  鍔部
（第３の実施の形態）
２００  ベース                  ２１０  ホルダー本体
２１１  支持部                  ２１２  凹部
２２０  カバー                  ２２１  環状部
２２２  鍔部
【図１】
2005014655.tif 000003
【図２】
2005014655.tif 000004
【図３】
2005014655.tif 000005
【図４】
2005014655.tif 000006
【図５】
2005014655.tif 000007
【図６】
2005014655.tif 000008
【図７】
2005014655.tif 000009
【図８】
2005014655.tif 000010
【図９】
2005014655.tif 000011